(57)【要約】【課題】  近距離無線通信を用いた印刷システムにおいて、プリンタの選択に際しての使い勝手を向上させる。【解決手段】  印刷装置と近距離無線通信を行なう端末装置であって、通信可能な印刷装置のリストを表示して、印刷に用いる印刷装置の選択を受け付けるリスト表示手段と、デバイスの検索要求を行なう検索要求手段と、前記検索要求に応じたデバイスから印刷装置を抽出する印刷装置抽出手段と、抽出された印刷装置に対して、前記印刷装置に関する情報の要求を行なう印刷装置情報要求手段と、前記印刷装置情報要求の応答情報が所定の条件を満たすかどうかを判断する判断手段と、前記条件を満たすと判断した場合に、当該印刷装置を特定するための情報をリストの上位に登録し、前記条件を満たさないと判断した場合に、当該印刷装置を特定するための情報をリストの下位に登録する印刷装置登録手段とを備えることを特徴とする端末装置。【選択図】  図１
2005332056.tif 000002
【特許請求の範囲】
【請求項１】
印刷装置と近距離無線通信を行なう端末装置であって、
通信可能な印刷装置のリストを表示して、印刷に用いる印刷装置の選択を受け付けるリスト表示手段と、
デバイスの検索要求を行なう検索要求手段と、
前記検索要求に応じたデバイスから印刷装置を抽出する印刷装置抽出手段と、
抽出された印刷装置に対して、前記印刷装置に関する情報の要求を行なう印刷装置情報要求手段と、
前記印刷装置情報要求の応答情報が所定の条件を満たすかどうかを判断する判断手段と、
前記条件を満たすと判断した場合に、当該印刷装置を特定するための情報をリストの上位に登録し、前記条件を満たさないと判断した場合に、当該印刷装置を特定するための情報をリストの下位に登録する印刷装置登録手段とを備えることを特徴とする端末装置。
【請求項２】
請求項１に記載の端末装置であって、
前記判断手段は、前記所定の条件として、前記印刷装置情報要求の応答情報に含まれる前記印刷装置の製造者が所定の製造者であるかどうかを判断することを特徴とする端末装置。
【請求項３】
請求項２に記載の端末装置であって、
前記所定の製造者は、当該端末装置において印刷処理を制御するためのプログラムの開発者と同一であることを特徴とする端末装置。
【請求項４】
請求項２に記載の端末装置であって、
前記印刷装置登録手段は、通信可能な印刷装置のリストへの登録後に、所定の条件を満たすと判断された印刷装置を特定するための情報について、所定の優先順位に基づいてリストの順位を入れ替えることを特徴とする端末装置。
【請求項５】
請求項４に記載の端末装置であって、
前記所定の優先順位は、機種別に付された順位であることを特徴とする端末装置。
【請求項６】
請求項１に記載の端末装置であって、
前記印刷装置登録手段が前記リストに登録する印刷装置を特定するための情報は、前記印刷装置情報要求の応答情報に含まれる前記印刷装置の製造者および前記印刷装置の機種名であることを特徴とする端末装置。
【請求項７】
印刷装置と近距離無線通信を行なう端末装置であって、
印刷装置のリストを表示して、印刷に用いる印刷装置の選択を受け付けるリスト表示手段と、
デバイスの検索要求を行なう検索要求手段と、
前記検索要求に応じたデバイスから印刷装置を抽出する印刷装置抽出手段と、
抽出された印刷装置に対して、前記印刷装置に関する情報の要求を行なう印刷装置情報要求手段と、
前記印刷装置情報要求の応答情報が所定の条件を満たすかどうかを判断する判断手段と、
前記条件を満たすと判断した場合に、当該印刷装置を特定するための情報をリストに登録する印刷装置登録手段とを備えることを特徴とする端末装置。
【請求項８】
印刷装置と近距離無線通信を行なう端末装置で実行される印刷制御プログラムであって、
通信可能な印刷装置のリストを表示して、印刷に用いる印刷装置の選択を受け付けるリスト表示手段と、
通信可能な印刷装置から取得した前記印刷装置に関する情報が所定の条件を満たすかどうかを判断する判断手段と、
前記条件を満たすと判断した場合に、当該印刷装置を特定するための情報をリストの上位に登録し、前記条件を満たさないと判断した場合に、当該印刷装置を特定するための情報をリストの下位に登録する印刷装置登録手段とを端末装置に機能させることを特徴とする印刷制御プログラム。
【請求項９】
印刷装置と近距離無線通信を行なう端末装置における、通信可能な印刷装置のリストを表示して、印刷に用いる印刷装置の選択を受け付けるリスト表示制御方法であって、
デバイスの検索要求を行なう検索要求ステップと、
前記検索要求に応じたデバイスから印刷装置を抽出する印刷装置抽出ステップと、
抽出された印刷装置に対して、前記印刷装置に関する情報の要求を行なう印刷装置情報要求ステップと、
前記印刷装置情報要求の応答情報が所定の条件を満たすかどうかを判断する判断ステップと、
前記条件を満たすと判断した場合に、当該印刷装置を特定するための情報をリストの上位に登録し、前記条件を満たさないと判断した場合に、当該印刷装置を特定するための情報をリストの下位に登録する印刷装置登録ステップとを有することを特徴とするリスト表示制御方法。
【発明の詳細な説明】
【技術分野】
【０００１】
本発明は、近距離無線通信技術を用いた印刷システムに係り、特に、印刷可能なプリンタを検索して、一覧表示する端末装置に関する。
【背景技術】
【０００２】
近年、近距離無線通信技術を用いたネットワークが実用化されている。従来、パーソナルコンピュータ等の端末装置と印刷装置であるプリンタとがケーブルで接続された印刷システムにおいても、端末装置から印刷データを近距離無線通信でプリンタに送信し、印刷が行なえるようになっている。
【０００３】
近距離無線通信のインタフェースとしては、２．４５ＧＨｚ帯の無線周波数を使うブルートゥース（Ｂｌｕｅｔｏｏｔｈ：商標）が代表的であり、例えば、特許文献１に示されるようにブルートゥースを用いた種々の通信技術が提案されている。
【０００４】
端末装置がプリンタとブルートゥースで無線通信を行なって印刷をする場合には、周辺にデバイスの検索要求を行ない、応答してきたデバイスからプリンタを選別し、印刷可能なプリンタのリストをユーザに提示する。そして、ユーザが選択したプリンタに対して印刷データを送信することで印刷が実行される。
【０００５】
【特許文献１】特開２００２−３７３１３０号公報
【発明の開示】
【発明が解決しようとする課題】
【０００６】
ところで、ブルートゥースでは、デバイスの検索要求を行ない、応答してきたプリンタからプリンタに関する情報を取得する手順については仕様が定められている。しかし、印刷可能なプリンタのリストをユーザに提示する部分については規定されていない。このため、プリンタのリスト表示の内容は開発者の設計に委ねられているが、使い勝手等については考慮されておらず、応答してきた順序でプリンタを一覧表示してユーザに選択を促すようにしている。
【０００７】
端末装置における印刷処理は印刷制御プログラムにしたがって制御されるが、プリンタは製造メーカや機種等により仕様が異なるため、プリンタ毎に印刷制御プログラムとの相性の善し悪しがある。
【０００８】
印刷制御プログラムとの相性のよいプリンタで印刷を行なうことにより、印刷制御プログラムおよびプリンタの性能を最大限活用できるため、なるべく相性のよいプリンタが選択されることが望ましい。
【０００９】
一方、ユーザの側からも、プリンタ制御プログラムと相性のよいプリンタを簡易に指定することができれば便利である。
【００１０】
本発明は、近距離無線通信を用いた印刷システムにおいて、プリンタの選択に際しての使い勝手を向上させることを目的とする。
【課題を解決するための手段】
【００１１】
上記課題を解決するため本発明によれば、
印刷装置と近距離無線通信を行なう端末装置であって、
通信可能な印刷装置のリストを表示して、印刷に用いる印刷装置の選択を受け付けるリスト表示手段と、
デバイスの検索要求を行なう検索要求手段と、
前記検索要求に応じたデバイスから印刷装置を抽出する印刷装置抽出手段と、
抽出された印刷装置に対して、前記印刷装置に関する情報の要求を行なう印刷装置情報要求手段と、
前記印刷装置情報要求の応答情報が所定の条件を満たすかどうかを判断する判断手段と、
前記条件を満たすと判断した場合に、当該印刷装置を特定するための情報をリストの上位に登録し、前記条件を満たさないと判断した場合に、当該印刷装置を特定するための情報をリストの下位に登録する印刷装置登録手段とを備えることを特徴とする端末装置が提供される。
【００１２】
ここで、前記判断手段は、前記所定の条件として、前記印刷装置情報要求の応答情報に含まれる前記印刷装置の製造者が所定の製造者であるかどうかを判断することができる。
【００１３】
また、前記所定の製造者は、当該端末装置において印刷処理を制御するためのプログラムの開発者と同一であることとすることができる。
【発明を実施するための最良の形態】
【００１４】
本発明の実施の形態について図面を参照して説明する。
【００１５】
図１は、本発明を適用可能な近距離無線通信システムの構成の一例を示すブロック図である。本図に示すように近距離無線システムは、端末装置１と複数の周辺装置とを備えて構成される。
【００１６】
周辺装置としては、例えば、プリンタ１０、デジタルカメラ１０１、ＰＤＡ（Personal Digital Assistant）１０２であるとし、プリンタ１０は、複数台のプリンタ１０ａ〜１０ｅが存在しているものとする。
【００１７】
複数台のプリンタ１０は、種々のメーカにより製造され、それぞれ異なる機種であるとする。ここでは、プリンタ１０ａは、「Ａ社製のプリンタａ」であり、プリンタ１０ｂは、「Ｂ社製のプリンタｂ」であり、プリンタ１０ｃは、「Ｂ社製のプリンタｃ」であり、プリンタ１０ｄは、「Ｃ社製のプリンタｄ」であり、プリンタ１０ｅは、「Ａ社製のプリンタｅ」であるとする。
【００１８】
端末装置１と複数の周辺装置とは、近距離無線通信を行なう。本実施例において、端末装置１と周辺装置とが行なう近距離無線通信は、ブルートゥース（Ｂｌｕｅｔｏｏｔｈ）を用いるものとする。ただし、端末装置１と周辺装置との近距離無線通信インタフェースは、ブルートゥースには限られない。
【００１９】
図２は、端末装置１とプリンタ１０のハードウェア構成の一例を示すブロック図である。
【００２０】
本図に示すように、端末装置１は、ＣＰＵ２、ＲＡＭ３、インタフェース（Ｉ／Ｆ）４、補助記憶部５、表示部６、ＲＯＭ７を備えて構成される。
【００２１】
ＣＰＵ２は、バスを介してＲＡＭ３、Ｉ／Ｆ４、補助記憶部５、表示部６、ＲＯＭ７とそれぞれ接続し、ＲＯＭ７に格納されたプログラム等にしたがって各種処理を実行する。また、ＣＰＵ２は、Ｉ／Ｆ４を介して外部から入力されたブルートゥースのコマンドを解釈して、補助記憶部５からデータを読み出したり、Ｉ／Ｆ４からそのコマンドの応答などを外部に出力させるためにＩ／Ｆ４を制御する処理等を行なう。
【００２２】
また、ＣＰＵ２は、ＲＯＭ３等に格納された印刷制御プログラムにしたがって、プリンタ１０による印刷を実行するための処理を行なう。
【００２３】
ＲＡＭ３は、ＣＰＵ２のワーキングメモリ等として用いられる。
【００２４】
Ｉ／Ｆ４は、プリンタ１０等の外部機器とのインタフェースとなる。Ｉ／Ｆ４は、ＣＰＵ２の制御によりブルートゥースの規格に沿うコマンドを作成して外部機器に出力するとともに、外部機器から出力されたブルートゥースの規格に沿うコマンドを入力して、コマンドの内容に関するデータ、コマンドに付随したデータ等をＣＰＵ２に出力する。
【００２５】
なお、Ｉ／Ｆ４内にＣＰＵ、ＲＯＭ、ＲＡＭ等を備えさせ、ＣＰＵ２からの制御命令により、その後のブルートゥースのコマンド作成と出力、および、外部から入力された内容の解釈等を行なうようにしてもよい。
【００２６】
補助記憶部５は、プリンタ１０で印刷すべき画像データ等を記憶する。画像データ等は、ＪＰＥＧ等の所定の画像フォーマットでファイルとして補助記憶部５に格納される。ファイルはファイル名により識別され、ＣＰＵ２の制御により読み出され、Ｉ／Ｆ４を介してプリンタ１０等の外部機器に出力される。補助記憶部５は、ハードディスク装置、フラッシュメモリ等の不揮発性の記憶装置を用いて構成することができる。
【００２７】
表示部６は、端末装置の操作のために必要な情報等をメニュー形式で表示したり、印刷すべき画像の表示を行なう。表示部６は、液晶表示装置等を用いて構成することができる。
【００２８】
ＲＯＭ７は、ＣＰＵ２によって実行される各種プログラム等が不揮発的に格納されている。各種プログラムは、例えば、端末装置１を制御するオペレーティングシステム、ブルートゥースによる通信を行なうためのブルートゥース制御プログラム、プリンタ１０を制御するための印刷制御プログラム、印刷すべき画像データを取り扱うアプリケーションプログラム等である。
【００２９】
なお、端末装置１は、例えば、パーソナルコンピュータその他の情報処理装置を用いて構成することができる。もちろん、携帯電話等の携帯端末装置を用いるようにしてもよい。
【００３０】
図２に示すように、プリンタ１０は、ＣＰＵ１１、ＲＡＭ１２、Ｉ／Ｆ１３、操作パネル１４、印刷エンジン１５、ＲＯＭ１６を備えて構成される。
【００３１】
ＣＰＵ１１は、バスを介してＲＡＭ１２、Ｉ／Ｆ１３、操作パネル１４、印刷エンジン１５、ＲＯＭ１６とそれぞれ接続されている。ＣＰＵ１１は、ＲＯＭ１６に格納されたプログラム等にしたがって各種処理を実行し、Ｉ／Ｆ１３、操作パネル１４、印刷エンジン１５等を制御する処理を行なう。また、ＣＰＵ１１は、Ｉ／Ｆ１３を介して外部から入力されたブルートゥースのコマンドを解釈して、印刷エンジン１５を制御したり、Ｉ／Ｆ１３を制御する。
【００３２】
ＲＡＭ１２は、ＣＰＵ１１のワーキングメモリ等として用いられる。
【００３３】
Ｉ／Ｆ１３は、ブルートゥースによって無線接続された外部機器とのインタフェースとなる。Ｉ／Ｆ１３は、ＣＰＵ１１の制御によりブルートゥースの規格に沿うコマンドを作成して外部機器に出力するとともに、外部機器から出力されたブルートゥースの規格に沿うコマンドを入力して、コマンドの内容に関するデータ、コマンドに付随したデータ等をＣＰＵ１１に出力する。
【００３４】
なお、Ｉ／Ｆ１３内にＣＰＵ、ＲＯＭ、ＲＡＭ等を備えさせ、ＣＰＵ１１からの制御命令により、その後のブルートゥースのコマンド作成と出力、および、外部から入力された内容の解釈等を行なうようにしてもよい。
【００３５】
操作パネル１４は、プリンタ１０の状態を表示したり、プリンタ１０における印刷処理に関する設定等を受け付ける。操作パネル１４は、液晶表示装置、入力ボタン等を用いて構成することができる。
【００３６】
印刷エンジン１５は、実際に印字処理を行なう機構であり、給排紙機構、印字機構等を備えて構成される。印刷エンジン１５の印刷方式は、例えば、インクジェット方式とすることができる。インクジェット方式の印刷エンジンは、筐体内にインクを充填したインクカートリッジを複数備え、このインクを記録ヘッドから記録用紙等の印刷媒体に吹き付けて印刷を行なう。ただし、印刷エンジン１５の印刷方式はインクジェット方式に限られず、例えば、トナーを用いたレーザー方式としてもよい。
【００３７】
Ｉ／Ｆ１３から入力された印刷対象の画像データは、ＲＡＭ１２に格納され、ＣＰＵ１１の制御により印刷エンジン１５に出力され、印字処理が行なわれる。
【００３８】
ＲＯＭ１６は、ＣＰＵ１１によって実行される各種プログラム等が不揮発的に格納されている。
【００３９】
つぎに、端末装置１がいずれかのプリンタ１０から印刷を行なう際の処理について図３のフロー図を参照して説明する。具体的には、ユーザに印刷に用いるプリンタを選択させるために、通信可能なプリンタ１０を検索し、索出されたプリンタ１０の一覧をリスト表示する処理である。本処理は、主として印刷制御プログラムをＣＰＵ２が実行することにより制御される。
【００４０】
まず、端末装置１は、デバイス探索要求を送信する（Ｓ１０１）。端末装置１の通信範囲内にあるブルートゥース装置は、この探索要求を受信すると、接続応答を端末装置１に送信する。
【００４１】
いずれかのブルートゥース装置から接続応答を受信すると（Ｓ１０２：Ｙ）、接続応答に含まれるＣｏＤ（Class of Device）を調べ、応答した装置がプリンタであるかどうかを判断する（Ｓ１０３）。印刷制御プログラムは、プリンタ１０を制御して印刷を行なうアプリケーションであるため、制御対象であるプリンタ１０以外のブルートゥース装置を作成するリストから除外するためである。
【００４２】
その結果、プリンタでないと判断した場合には（Ｓ１０３：Ｎ）、他のブルートゥース装置からの接続応答を待つ。
【００４３】
一方、プリンタであると判断した場合には（Ｓ１０３：Ｙ）、その装置の属性を調べるために、その装置に対してＳＤＰ検索要求を送信する（Ｓ１０４）。
【００４４】
そして、その装置からの応答を受信する（Ｓ１０５）。この応答には、プリンタが使用できるプロファイル、プリンタメーカ、プリンタ機種、その他のプリンタに関する情報が含まれている。なお、デバイス探索要求からここまでの処理は、ブルートゥースの仕様にしたがって行なわれる処理である。
【００４５】
端末装置１は、その応答内容と、あらかじめ定められた条件とを比較して、そのプリンタ１０が条件を満たしているかどうかを判断する（Ｓ１０６）。
【００４６】
この条件は、例えば、所定のメーカのプリンタであることとすることができる。印刷を行なうプリンタ１０が、印刷処理を制御するプログラムとの相性がよい場合には、よい印刷結果が得られると予想される。例えば、印刷処理プログラムの開発メーカと同一のメーカ、あるいは、関連の強いメーカ製のプリンタであれば、両者の相性がよいと想定される。
【００４７】
そこで、本実施形態では、プリンタが所定のメーカ、具体的には、印刷処理プログラムの開発メーカと同一のメーカ、あるいは、関連の強いメーカの製品であることを条件としている。
【００４８】
もちろん、処理（Ｓ１０６）で判断する条件は、所定のメーカのプリンタであることに限られない。例えば、所定のプリンタ機種、所定の機能を備えること等とすることができる。
【００４９】
なお、応答してきたプリンタが、ブルートゥースにおける印刷用プロファイルであるＢＰＰ（Basic Printing Profile）を備えていない場合には、条件を比較するまでもなく、リストに追加しないようにしてもよい。また、処理（Ｓ１０６）で採用する条件によっては、接続応答に含まれるＣｏＤの情報で判断可能な場合もある。この場合には、ＳＤＰ検索要求の応答に代えて、接続応答に含まれるＣｏＤの情報で条件の判断を行なうようにしてもよい。
【００５０】
処理（Ｓ１０６）で条件を満たしているか判断した結果、条件を満たしていると判断した場合には、表示するリストの最上位にそのプリンタ１０を登録する（Ｓ１０７）。これは、条件を満たしているプリンタ１０をよりユーザが選択しやすくするために、リストの上位に表示させるためである。なお、リストに登録する情報は、例えば、プリンタ１０のメーカ名および機種名等とすることができる。また、プリンタ１０が識別子を有している場合には、その情報を登録するようにしてもよい。
【００５１】
一方、条件を満たしていないと判断した場合には、表示するリストの最下位にそのプリンタ１０を登録する（Ｓ１０８）。これにより、条件を満たしているプリンタ１０を相対的にリストの上位に表示させることができる。
【００５２】
そして、処理（Ｓ１０２）に戻り、他のブルートゥース装置からの接続応答を待つ。
【００５３】
ブルートゥース装置からの応答がない場合には（Ｓ１０２：Ｎ）、生成したプリンタ一覧リストを表示部６に表示する（Ｓ１０９）。このリストは、ユーザにプリンタの選択を促す際に、通信可能なプリンタの一覧として表示するためのものである。
【００５４】
図４は、処理（Ｓ１０６）で判断する条件を「Ａ社製のプリンタであること」とした場合に表示されるリスト５００の一例を示す図である。本例は、プリンタ制御プログラムがＡ社が開発したもので、Ａ社製のプリンタで印刷を行なうのに適した設計内容となっている場合を想定している。
【００５５】
本図に示すように、リスト５００には、端末装置１から印刷可能なプリンタ１０のメーカ名と機種名とが一覧表示されている。ここで、「Ａ社製のプリンタであること」という条件を満たす「プリンタｅ」と「プリンタａ」とが上位に表示され、ユーザが指定しやすくなっている。もちろん、端末装置１が、リストの下側に表示された方が指定しやすい設計であれば上位と下位とを反転させて表示させるようにする。
【００５６】
そして、端末装置１は、本リストを用いて、印刷に用いるプリンタの指定をユーザから受け付ける（Ｓ１１０）。
【００５７】
なお、図４に示したリストは、接続応答を受信した順序で条件を判断するようにしたため、条件を満たすプリンタ１０同士の表示順は保証されない。すなわち、上記のアルゴリズムでは、後から条件判断を行なわれたプリンタ１０がより上位、あるいは、より下位としてリストに追加されることになる。
【００５８】
そこで、条件を満たすプリンタ１０のなかで、さらに、リストの表示順を定めるようにしてもよい。このようにすることにより、条件を満たすプリンタ１０の中でも、より相性のよいプリンタ１０をより選択しやすくすることができる。このために、端末装置１に、図５に一例を示すようなデータ５２０をあらかじめ備えさせるようにする。本データは、例えば、プリンタ制御プログラムに含めておくようにする。
【００５９】
すなわち、データ５２０には、条件を満たすプリンタ、本例では、Ａ社製のプリンタの中で、機種毎の優先順位を定めたものである。所定のメーカのプリンタであれば、市場に出回っているプリンタの機種は把握可能であるため、本例のようなデータ５２０を定めることができる。
【００６０】
この場合、端末装置１は、上記のアルゴリズムでリストを生成すると、データ５２０を参照して、リストに含まれるＡ社製のプリンタ名の機種をソートした上で表示部６に表示するようにする。
【００６１】
図６は、図４に示したリストを図５に示したデータ５２０にしたがって変更した場合のリスト５００ａの一例を示す図である。本図に示すように、データ５２０で上位に設定されているプリンタａが、プリンタｅよりも上位に表示されており、より指定しやすくなっている。
【００６２】
また、上記のフロー図では、個々のプリンタ１０からの接続応答を受信した段階で、リストの上位、下位に登録するようにしていたが、すべてのプリンタ１０からの接続応答を受信した後に、所定の条件を満たすか否かでリストに表示する順序を並べ替えるようにしてもよい。
【００６３】
なお、処理（Ｓ１０８）で、条件を満たしていないプリンタ１０は、リストの最下位に追加するようにしていたが、リストに表示しないようにしてもよい。この場合には、図７に示すように、条件「Ａ社製のプリンタであること」を満たすプリンタａ、プリンタｅのみがリスト５００ｂに表示されることになる。ここで、条件を満たさないプリンタ１０をリストに表示するかどうかは、例えば、ユーザからの指示に基づいて定めるようにすることができる。
【図面の簡単な説明】
【００６４】
【図１】近距離無線通信印刷システムの構成を示すブロック図である。
【図２】端末装置とプリンタのハードウェア構成の一例を示すブロック図である。
【図３】端末装置が印刷を行なう際の処理を説明するフロー図である。
【図４】端末装置に表示されるプリンタリストの一例を示す図である。
【図５】プリンタの機種毎の優先順位を定めたデータの一例を示す図である。
【図６】端末装置に表示されるプリンタリストの一例を示す図である。
【図７】端末装置に表示されるプリンタリストの一例を示す図である。
【符号の説明】
【００６５】
１…端末装置、２…ＣＰＵ、３…ＲＡＭ、４…Ｉ／Ｆ、５…補助記憶部、６…表示部、７…ＲＯＭ、１０…プリンタ、１１…ＣＰＵ、１２…ＲＡＭ、１３…Ｉ／Ｆ、１４…操作パネル、１５…印刷エンジン、１６…ＲＯＭ
【図１】
2005332056.tif 000003
【図２】
2005332056.tif 000004
【図３】
2005332056.tif 000005
【図４】
2005332056.tif 000006
【図５】
2005332056.tif 000007
【図６】
2005332056.tif 000008
【図７】
2005332056.tif 000009